(57)【要約】冬場でも着用時の快適性を保持することのできる陰嚢冷却用パンツを提供する。陰嚢冷却用パンツ（１）は、胴部が挿通される胴部開口部（２０）、左右脚部が挿通される一対の脚部開口部（２１Ｌ、２１Ｒ）及び一対の脚部開口部（２１Ｌ、２１Ｒ）の間に形成された股下部（２２）を有するパンツ本体（２）と、パンツ本体（２）の内部に形成され、少なくとも着用者の陰嚢を股下部（２２）から吊り上げるように支持する陰嚢支持部（３）とを備える。
2017134978.tif 000002
【特許請求の範囲】
【請求項１】
胴部が挿通される胴部開口部、左右脚部が挿通される一対の脚部開口部及び前記一対の脚部開口部の間に形成された股下部を有するパンツ本体と、
前記パンツ本体の内部に形成され、少なくとも着用者の陰嚢を前記股下部から吊り上げるように支持する陰嚢支持部とを備え、
前記パンツ本体は、
前記股下部に形成され、前記パンツ本体の内部と外部とを連通させる通気用開口部を備え、
前記陰嚢支持部は、
前記陰嚢が当たる部位が冷感素材によって構成されることを特徴とする陰嚢冷却用パンツ。
【請求項２】
請求項１において、
前記一対の脚部開口部に前記左右脚部がそれぞれ挿通された状態において、
前記一対の脚部開口部の開口面積が、前記パンツ本体の内部と外部とを連通させるための通気用隙間の分だけ前記左右脚部の断面積よりも大きいことを特徴とする陰嚢冷却用パンツ。
【請求項３】
請求項１又は請求項２において、
前記通気用開口部がメッシュ素材であることを特徴とする陰嚢冷却用パンツ。
【発明の詳細な説明】
【技術分野】
【０００１】
この発明は、男性不妊の一原因である精子の運動率低下や劣化、乏精子症などの改善に関し、特に、陰嚢に装着して使用する陰嚢冷却用パンツに関するものである。
【背景技術】
【０００２】
従来より、男性不妊対策用のパンツとして、種々のパンツが開示されている（下記特許文献１〜３参照）。特許文献１には、トランクスタイプのパンツの内部に、外陰部を下部側から吊り上げるように覆うためのサポート帯を設けて通気性を良くした男性用パンツが開示されている。【０００３】
また、特許文献２には、陰茎と陰嚢を分けて、陰茎を上向きに保持するとともに、陰嚢を下向きに開放して放熱可能とした男性用下着が開示されている。【０００４】
また、特許文献３には、陰嚢と大腿部とを布地でつくられた袋体で離隔し、汗を袋体が吸収し濡れた袋体が短時間で乾くようにした男性用パンツが開示されている。当該袋体には、通気性や放熱性の観点から、メッシュ状や網状のネット状の形態が採用されている。
【先行技術文献】
【特許文献】
【０００５】
【特許文献１】特開２００６−３２２１２０号公報
【特許文献２】特開２０１５−８１３９３号公報
【特許文献３】特開２０１５−７８４５８号公報
【発明の概要】
【発明が解決しようとする課題】
【０００６】
上記特許文献１〜３に開示された技術は何れも通気性や放熱性の向上を図ったものである。従って、冬場になると、冷却作用によって陰嚢だけではなく臀部など他の部位も冷やされてしまうので快適性が著しく損なわれる。そのため、冬場の着用には不向きであった。【０００７】
この発明の目的は、冬場でも着用時の快適性を保持することのできる陰嚢冷却用パンツを提供することにある。
【課題を解決するための手段】
【０００８】
上記目的を達成するため、本発明に係る陰嚢冷却用パンツは、胴部が挿通される胴部開口部、左右脚部が挿通される一対の脚部開口部及び前記一対の脚部開口部の間に形成された股下部を有するパンツ本体と、前記パンツ本体の内部に形成され、少なくとも着用者の陰嚢を前記股下部から吊り上げるように支持する陰嚢支持部とを備え、前記パンツ本体は、前記股下部に形成され、前記パンツ本体の内部と外部とを連通させる通気用開口部を備え、前記陰嚢支持部は、前記陰嚢が当たる部位が冷感素材によって構成されることを特徴とする。
【発明の効果】
【０００９】
本発明に係る陰嚢冷却用パンツは、陰嚢を支持する陰嚢支持部を冷感素材によって構成し、更にその外側の股下部に通気用開口部を設けた二重構造を有して構成される。このような二重構造によれば、冷感素材による陰嚢への冷感作用によって、陰嚢の独立性を高めることができるので、陰嚢への冷却作用を高めつつ、臀部などその他の部位への冷却作用を低くすることができる。また、通気用開口部による陰嚢から外部への放熱作用によって、陰嚢と股下部との密着による温度上昇を防ぐことができるので、陰嚢に対してのみ冷却作用を高めることができる。そのため、冬場であっても臀部など他の部位の温度低下を抑制しつつ、陰嚢の温度上昇を効果的に抑制することができる。この結果、冬場でも着用時の快適性を保持することができる。
【図面の簡単な説明】
【００１０】
【図１】本実施形態に係る陰嚢冷却用パンツを着用者が着用した状態を前方から見た外観図である。
【図２】陰嚢冷却用パンツを斜め上方から見た斜視図である。
【図３】陰嚢冷却用パンツを下方から見た平面図である。
【図４】陰嚢支持部を陰嚢冷却用パンツの外側から透視した透視図である。
【図５】陰嚢冷却用パンツを上方から見た平面図である。
【発明を実施するための形態】
【００１１】
以下、本発明の実施の形態を示す図面を参照して本発明を説明する。なお、以下の説明では、左右、前後、上下などの記載は、着用者にとっての方向を意味する。従って、図１における上、下、左、右は着用者にとっての上、下、左、右であり、紙面の表側を前、紙面の裏側を後とする。
【００１２】
[陰嚢冷却用パンツ１の全体構成について]
図１は、本実施形態に係る陰嚢冷却用パンツ１を着用者が着用した状態を前方から見た外観図である。図１においては、陰嚢支持部３の外形線（仮想線）を陰嚢冷却用パンツ１の前方から透視した二点鎖線によって表している。
【００１３】
図１に示すように、陰嚢冷却用パンツ１は、パンツ本体２と、陰嚢支持部３とを備える。
【００１４】
[パンツ本体２の構成について]
パンツ本体２は伸縮性を有する綿、絹、ウール、あるいは合成繊維などの布で形成されたトランクスタイプのパンツ本体である。
【００１５】
図２は、陰嚢冷却用パンツ１を斜め上方から見た斜視図である。図２においては図面を分かりやすくするために、陰嚢支持部３を網掛けによるハッチングで示している。
【００１６】
図２に示すように、パンツ本体２は、胴部が挿通される胴部開口部２０、左右脚部が挿通される一対の脚部開口部２１Ｌ、２１Ｒ及び前記一対の脚部開口部２１Ｌ、２１Ｒの間に形成された股下部２２を有している。
【００１７】
（胴部開口部２０の構成について）
図２に示すように、胴部開口部２０には縁部２０Ｅが設けられる。この縁部２０Ｅは着用者の腰位置に相当する部分であり、パンツ本体２の最上部に設けられている。この縁部２０Ｅはゴム状部材から構成される。この縁部２０Ｅの弾性力によって腰にフィットさせるようにして着用後のズレ落ちが防止されている。
【００１８】
（脚部開口部２１Ｌ、２１Ｒの構成について）
図３は、陰嚢冷却用パンツ１を下方から見た平面図である。図３においては図面を分かりやすくするために、陰嚢支持部３を網掛けで示している。
【００１９】
なお以下では一対で構成されていて特別に区別して説明する必要がない脚部開口部２１Ｌ、２１Ｒは、説明を簡単にするために、一方の脚部開口部２１Ｒについてのみ構成を説明し、もう一方の脚部開口部２１Ｌについては、構成の説明を適宜省略することがあることを予め断っておく。
【００２０】
図２に示すように、脚部開口部２１Ｌの縁部には、略楕円状の太線で囲まれた挿通穴２１ＬＨが左脚部を挿通させるために設けられている。脚部開口部２１Ｒの縁部にも同様の挿通穴２１ＲＨが右脚部を挿通させるために設けられている。
【００２１】
図１に示すように、一対の脚部開口部２１Ｌ、２１Ｒに左右脚部がそれぞれ挿通された状態において、挿通穴２１ＬＨの開口面積は、パンツ本体２の内部と外部とを連通させるための通気用隙間Ｓ１の分だけ左脚部の断面積よりも大きくなっている。
【００２２】
同様に、挿通穴２１ＲＨの開口面積も通気用隙間Ｓ２の分だけ右脚部の断面積よりも大きくなっている。
【００２３】
図１に破線で示す矢印Ａ１はパンツ本体２の外部から内部に流れ込んだ空気流の一例を示している。この例では、矢印Ａ１に示すように、通気用隙間Ｓ２を介して外部から内部に空気が流れ込んでいく。流れ込んだ空気は、陰嚢が当たる部位３０の周辺を通過した後、外部に向けて流れる。このような空気流Ａ１の確保によって、空気と陰嚢周辺との間の熱交換が促進され、陰嚢周辺を効果的に冷却することができる。
【００２４】
（股下部２２の構成について）
股下部２２に形成した通気用開口部２２Ａを図１においては斜線によるハッチングで示し、図３においては斜め格子によるハッチングで示している。
【００２５】
図１及び図３に示すように、股下部２２には、パンツ本体２の内部と外部とを連通させる通気用開口部２２Ａが形成される。通気用開口部２２Ａはメッシュ素材を用いて形成され、図１に示すように、陰嚢支持部３のうち陰嚢が当たる部位３０の直下に配置される。つまり、この実施形態の陰嚢冷却用パンツ１は、陰嚢を支持する部位３０を冷感素材によって構成し、更にその下側に通気用開口部２２Ａを設けた二重構造を有して構成される。このような二重構造によれば、冷感素材による陰嚢への冷感作用によって、陰嚢の独立性を高めることができるので、陰嚢への冷却作用を高めつつ、臀部などその他の部位への冷却作用を低くすることができる。また、通気用開口部２２Ａによる陰嚢から外部への放熱作用によって、陰嚢と股下部２２との密着による温度上昇を防ぐことができるので、陰嚢に対してのみ冷却作用を高めることができる。
【００２６】
図１に実線で示す矢印Ａ２は通気用開口部２２Ａを介してパンツ本体２の内部から外部に流れる空気流の一例を示している。このような空気流Ａ２の確保によって、外気と陰嚢との間における熱交換が促進される。この結果、陰嚢から外気に吸収される熱量を効率的に増加させることができる。
【００２７】
[陰嚢支持部３の構成について]
図１中の二点鎖線に示すように、陰嚢支持部３は、パンツ本体２の内部に形成され、少なくとも着用者の陰嚢を股下部２２から吊り上げるように支持する部位である。本実施形態では、陰嚢支持部３によって陰嚢が股下部２２から浮いた状態で保持されるので、陰嚢の独立性を高めることができる。
【００２８】
図４は、陰嚢支持部３を陰嚢冷却用パンツ１の外側から透視した透視図である。図４においては、図をわかりやすくするために、陰嚢支持部３のうち陰嚢が当たる部位３０を斜線で示している。図４に示すように、陰嚢支持部３は、一端が胴部の前部側に取り付けられ、他端が胴部の後部側に取り付けられた帯状のサポート部材を有している。陰嚢が当たる部位３０は、当該サポート部材の最下点となる位置に設けられている。また、当該部位３０は冷感素材によって構成される。その他の部位は綿、絹、ウール、あるいは合成繊維などの布製の素材を用いて構成される。
【００２９】
図５は、陰嚢冷却用パンツ１を上方から見た平面図である。図５においては、図をわかりやすくするために、陰嚢支持部３を網掛けによるハッチングで示し、部位３０を構成する冷感素材を斜線によるハッチングで示している。このハッチングに示すように、本実施形態の部位３０は股下部前寄りの位置にくるように配置されているが、部位３０が陰嚢に接触する確率をより高めるという効果を得るには、部位３０を股下部前後方向の全域に亘って設けることが好ましい。
【００３０】
以下の表１は、部位３０を構成する冷感素材の種類を示している。表１中の項目「メーカー」は各素材のメーカーを示し、項目「Q-Max」は各素材の接触冷湿感測定値（W/cm2）を示している。なお、接触冷湿感測定値が非公表の冷感素材については、項目「Q-Max」中に「―」で示している。
【００３１】
部位３０を構成する冷感素材は、Q-Maxが高い素材を用いることが好ましく、具体的には、Q-Maxが０．３（W/cm2）以上の素材を用いることが好ましい。
【表１】
2017134978.tif 000003
【００３２】
本実施形態に係る陰嚢冷却用パンツ１は、図１に示すように、陰嚢を支持する陰嚢支持部３を冷感素材によって構成し、更にその外側の股下部２２に通気用開口部２２Ａを設けた二重構造を有して構成される。このような二重構造によれば、冷感素材による陰嚢への冷感作用によって、陰嚢の独立性を高めることができるので、陰嚢への冷却作用を高めつつ、臀部などその他の部位への冷却作用を低くすることができる。また、通気用開口部２２Ａによる陰嚢から外部への放熱作用によって、陰嚢と股下部２２との密着による温度上昇を防ぐことができるので、陰嚢に対してのみ冷却作用を高めることができる。そのため、冬場であっても臀部など他の部位の温度低下を抑制しつつ、陰嚢の温度上昇を効果的に抑制することができる。この結果、冬場でも着用時の快適性を保持することができる。
【００３３】
以上、本発明の実施形態について図面に基づいて説明したが、具体的な構成は、これらの実施形態に限定されるものではないことは言うまでもない。本発明の範囲は、上記した実施形態の説明ではなく請求の範囲によって示され、さらに請求の範囲を逸脱しない限りで類似の範囲内でのすべての変更が含まれる。
【００３４】
例えば、上記実施形態では、陰嚢支持部３のうち、部位３０を冷感素材によって構成し、その他の部位を布製素材で構成する例について述べたが、陰嚢支持部３は陰嚢を股下部２２から吊り上げるように支持できる形状でありさえすれば良く、必ずしもその他の部位を布製素材で構成する必要はなく、部位３０を紐状の吊り具で股下部２２から吊り上げてもよい。
【００３５】
また、上記実施形態では、陰嚢支持部３のうち部位３０を構成する冷感素材を図５中の斜線によるハッチングで示すような形状に形成する例について述べたが、陰嚢への冷感作用がありさえすれば必ずしもこの形状に限定されず、矩形状、円形状又は楕円形状など種々の形状に形成できる。また、部位３０を構成する冷感素材の種類は、陰嚢支持部３に部位３０を設ける位置に応じて変更してもよい。また、陰嚢支持部３のうち、陰嚢が当たる部位３０だけでなく、例えば陰茎の付根部分など男性不妊の改善に有効な部位が当たる部位も冷感素材で構成してもよい。
【００３６】
また、陰嚢が当たる部位３０に抗菌加工を施してもよい。
【００３７】
また、上記実施形態では、通気用開口部２２Ａをメッシュ素材で形成する例について述べたが、陰嚢への冷却作用を高めることさえできれば必ずしもメッシュ素材に限定されず、通気用開口部２２Ａを弾性伸縮不織布やネット状の弾性伸縮部材で形成してもよい。
【００３８】
また、上記実施形態では、パンツ本体２をトランクスタイプのパンツ本体として構成する例にについて述べたが、陰嚢を支持する部位３０を冷感素材によって構成し、更にその下側に通気用開口部２２Ａを設けた二重構造を有して構成することさえできれば必ずしもトランクスタイプに限定されず、パンツ本体２をブリーフタイプのパンツ本体として構成してもよい。
【実施例】
【００３９】
次に、本発明に関して、実施例を用いて詳細に説明する。なお、本発明は、以下の実施例に限定されるものではない。ここでは、従来の普通下着との比較により、夫々のテスト品を用いて、陰嚢冷却用パンツ１（図１参照）の冷却効果を評価するための実験を行った。【００４０】
（実験対象）
本発明者らは、１２名の被験者Ａ〜Ｌを実験対象とした。【００４１】
（テスト品）
本実験では、従来の普通下着を比較例に係るテスト品に使用し、陰嚢冷却用パンツ１（図１参照）を実施例に係るテスト品に使用した。【００４２】
（温度測定対象）
本実験では、被験者Ａ〜Ｌの「精索右」、「精索左」、「精巣右上」、「精巣左上」、「精巣右下」、「精巣左下」の各部位を温度測定の対象とした。【００４３】
（実験方法）
ここでは、比較例に係るテスト品を着用した状態にある被験者Ａ〜Ｌの各部位における温度［℃］と、実施例に係るテスト品を着用後から２時間が経過した状態にある被験者Ａ〜Ｌの各部位における温度［℃］と、の比較により、陰嚢冷却用パンツ１（図１参照）の冷却効果を実験した。その実験結果をまとめて以下の表２、３に示す。
【表２】
2017134978.tif 000004
【表３】
2017134978.tif 000005
【００４４】
上記表２、３を考察すると、比較例に係るテスト品と比較することで、実施例に係るテスト品の優れた冷却性能が明らかになった。【００４５】
上記表２の項目「精巣平均」は、「精索右」、「精索左」、「精巣右上」、「精巣左上」、「精巣右下」、「精巣左下」の各温度を平均した平均温度［℃］を示す。各平均温度［℃］は、小数点以下２桁を四捨五入した値である。項目「精巣平均」から明らかなように、被験者Ａ〜Ｌの各部位の全てにおいて、比較例の平均温度よりも実施例の平均温度の方が低くなるという好結果が得られた。【００４６】
上記表３の項目「精巣平均」は、「精索右」、「精索左」、「精巣右上」、「精巣左上」、「精巣右下」、「精巣左下」の各温度差を平均した平均温度差［℃］を示す。各平均温度差［℃］は、小数点以下３桁を四捨五入した値である。この項目「精巣平均」から明らかなように、全ての被験者Ａ〜Ｌにおいて、実施例に係るテスト品は、比較例に係るテスト品より０．８５℃以上低くなるという好結果が得られた。特に、被験者Ｂにおいては、実施例に係るテスト品は、比較例に係るテスト品より１．９２℃も下回るという好結果が得られた。【００４７】
上記表３の項目「部位平均」は、被験者Ａ〜Ｌの各部位における温度差を平均した平均温度差［℃］を示す。各平均温度差［℃］は、小数点以下３桁を四捨五入した値である。この項目「部位平均」から明らかなように、被験者Ａ〜Ｌの「精索右」、「精索左」、「精巣右上」、「精巣左上」、「精巣右下」、「精巣左下」の全てにおいて、実施例に係るテスト品は、比較例に係るテスト品より１．０７℃以上低くなるという好結果が得られた。特に、「精巣右上」においては、実施例に係るテスト品は、比較例に係るテスト品より１．４４℃も下回るという好結果が得られた。【００４８】
上記表３の項目「部位平均」中の被験者平均値「−１．２５」は、部位ごとの平均温度差を合計した値を部位の数で除すことにより得られた温度差［℃］である。なお、項目「精巣平均」に示す各平均温度差［℃］の合計値を被験者数で除した値も被験者平均値「−１．２５」と同等であった。この被験者平均値「−１．２５」が示すように、全ての被験者Ａ〜Ｌにおいて、実施例に係るテスト品の優れた冷却性能が明らかになった。【００４９】
以下では、被験者Ａ〜Ｌのうち、特定の被験者Ａ〜Ｃに着目した実験結果について説明する。【００５０】
（被験者Ａの場合）
上記表２に示すように、被験者Ａの場合、比較例に係るテスト品を着用時の精索右の温度が３５．２℃であった。これに対し、実施例に係るテスト品を着用後から２時間が経過した状態にある精索右の温度は３３．０℃であった。【００５１】
すなわち、上記表３に示すように、実施例に係るテスト品は、比較例に係るテスト品より２．２℃も下回るという好結果が得られた。【００５２】
（被験者Ｂの場合）
上記表２に示すように、被験者Ｂの場合、比較例に係るテスト品を着用時の精索右の温度が３４．７℃であった。これに対し、実施例に係るテスト品を着用後から２時間が経過した状態にある精索右の温度は、３２．３℃であった。【００５３】
すなわち、上記表３に示すように、実施例に係るテスト品は、比較例に係るテスト品より２．４℃も下回るという好結果が得られた。同様に、上記表３に示すように、精索右下の温度においても比較例より２．６℃下回るという好結果が得られた。【００５４】
（被験者Ｃの場合）
上記表２に示すように、被験者Ｃの場合、比較例に係るテスト品を着用時の精索右下の温度が３３．４℃であった。これに対し、実施例に係るテスト品を着用後から２時間が経過した状態にある精索右下の温度は、３０．８℃であった。【００５５】
すなわち、上記表３に示すように、実施例に係るテスト品は、比較例に係るテスト品より２．６℃も下回るという好結果が得られた。同様に、上記表３に示すように、精索左下の温度においても比較例より２．３℃下回るという好結果が得られた。
【関連出願への相互参照】
【００５６】
本出願は、２０１６年２月５日に日本国特許庁に出願された特願２０１６−０２１２５１号に基づいて優先権を主張し、その全ての開示は完全に本明細書で参照により組み込まれる。
【符号の説明】
【００５７】
１  陰嚢冷却用パンツ
２  パンツ本体
２０  胴部開口部
２１Ｌ、２１Ｒ  脚部開口部
２２  股下部
２２Ａ  通気用開口部
３  陰嚢支持部
３０  部位
Ｓ１、Ｓ２  通気用隙間
【図１】
2017134978.tif 000006
【図２】
2017134978.tif 000007
【図３】
2017134978.tif 000008
【図４】
2017134978.tif 000009
【図５】
2017134978.tif 000010
【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
胴部が挿通される胴部開口部、左右脚部が挿通される一対の脚部開口部及び前記一対の脚部開口部の間に形成された股下部を有するパンツ本体と、
前記パンツ本体の内部に形成され、少なくとも着用者の陰嚢を前記股下部から吊り上げるように支持する陰嚢支持部とを備え、
前記パンツ本体は、
前記股下部に形成され、前記パンツ本体の内部と外部とを連通させる通気用開口部を備え、
前記陰嚢支持部は、
前記陰嚢が当たる部位のみが冷感素材によって構成され、その他の部位は綿、絹、ウール又は合成繊維の布製の素材を用いて構成されることを特徴とする陰嚢冷却用パンツ。
【請求項２】
請求項１において、
前記一対の脚部開口部に前記左右脚部がそれぞれ挿通された状態において、
前記一対の脚部開口部の開口面積が、前記パンツ本体の内部と外部とを連通させるための通気用隙間の分だけ前記左右脚部の断面積よりも大きいことを特徴とする陰嚢冷却用パンツ。
【請求項３】
請求項１又は請求項２において、
前記通気用開口部がメッシュ素材であることを特徴とする陰嚢冷却用パンツ。
【国際調査報告】
2017134978.tif 000011
2017134978.tif 000012
2017134978.tif 000013
2017134978.tif 000014